(57)【要約】  ユーザ操作に基づいて、複数のコンテンツを表示するように表示制御することができることを目的とする。  引き出し量算出部（１０１）が、表示部（１０７）の引き出し量を算出し、当該引き出し量を表示制御部（１０６）へ送出する。表示制御部（１０６）は、当該引き出し量に基づく、表示部（１０７）の表示幅が表示閾値を超えた場合、第２のコンテンツを第１のコンテンツと共に表示部（１０７）に表示させる。このように、引き出し量を検出し、当該引き出し量に基づく表示幅が閾値を超えた場合に、第１のコンテンツ以外のコンテンツ（第２のコンテンツ）を表示するので、ユーザの引き出し操作に応じて、ユーザに複数のコンテンツを出力した方がよい時のみ複数のコンテンツを表示させることができる。
2017134890.tif 000002
【特許請求の範囲】
【請求項１】
引き出し可能に構成され、第１のコンテンツを含むコンテンツを表示する表示手段と、  前記表示手段の引き出し状態に基づく表示幅が予め定められている基準を超えた後に、第２のコンテンツを第１のコンテンツと共に前記表示手段に表示させる表示制御手段と、を備える表示装置。
【請求項２】
前記基準となる位置で前記表示手段を仮止めする仮止め手段をさらに備える、請求項１に記載の表示装置。
【請求項３】
前記表示装置の装置方向を検出する装置方向検出手段をさらに備え、  前記表示制御手段は、前記表示幅が基準を超えた場合に、前記装置方向検出手段により検出された装置方向にさらに基づいて第２のコンテンツを前記表示手段に表示させる、請求項１又は２に記載の表示装置。
【請求項４】
前記表示手段の引き出し速度を検出する速度検出手段をさらに備え、  前記表示制御手段は、前記表示幅が基準を超えた場合に、当該基準を超えた後における、前記速度検出手段により検出された引き出し速度に基づいて第２のコンテンツを前記表示手段に表示させる、請求項１から３のいずれか一項に記載の表示装置。
【請求項５】
前記表示手段へのユーザの接触状態を検出する接触状態検出手段をさらに備え、  前記表示制御手段は、前記表示幅が基準を超えた場合に、当該基準を超えた後における、前記接触状態検出手段により検出された接触状態に基づいて第２のコンテンツを前記表示手段に表示させる、請求項１から４のいずれか一項に記載の表示装置。
【発明の詳細な説明】
【技術分野】
【０００１】  本発明は、コンテンツを表示する表示装置に関する。
【背景技術】
【０００２】  従来、装置本体から引き出されるフレキシブルディスプレイをより有効に活用できる携帯端末装置がある（例えば、特許文献１参照）。具体的に、携帯端末装置は、フレキシブルＬＣＤが引き出されたことを検出すると、スライド量を測定して、当該スライド量に基づいて、単一の画像の表示方向と画像の表示サイズとを決定する。
【先行技術文献】
【特許文献】
【０００３】
【特許文献１】特再公表２００７−０７７６４９号
【発明の概要】
【発明が解決しようとする課題】
【０００４】  ところで、上述の携帯端末装置では、単一の画像の表示制御をするものであるが、複数の画像を表示することも考えられる。複数のコンテンツを表示する場合、ユーザ操作に基づいて、ユーザに複数のコンテンツを出力した方がよい時のみ複数のコンテンツを表示するように表示制御することが望まれる。【０００５】  そこで、ユーザ操作に基づいて、複数のコンテンツを表示するように表示制御することができる、表示装置を提供することを目的とする。
【課題を解決するための手段】
【０００６】  上述の課題を解決するために、本発明に係る一実施形態の表示装置は、引き出し可能に構成され、第１のコンテンツを含むコンテンツを表示する表示手段と、表示手段の引き出し状態に基づく表示幅を特定し、表示手段の表示幅が予め定められている基準を超えた後に、第２のコンテンツを第１のコンテンツと共に表示手段に表示させる表示制御手段と、を備える。【０００７】  この発明によれば、表示手段の表示幅が基準を超えた場合に、第１のコンテンツ以外のコンテンツ（第２のコンテンツ）を表示するので、ユーザの引き出し操作に基づいて、複数のコンテンツを表示させることができる。【０００８】  また、この表示装置において、基準となる位置で表示手段を仮止めする仮止め手段をさらに備える。【０００９】  この発明によれば、基準となる位置（表示手段の表示幅が基準となる位置）で表示手段を仮止めするので、ユーザに第２のコンテンツを表示させるタイミングを感知させることができる。【００１０】  また、この表示装置において、表示装置の装置方向を検出する装置方向検出手段をさらに備え、表示制御手段は、表示幅が基準を超えた場合に、装置方向検出手段により検出された装置方向にさらに基づいて第２のコンテンツを表示手段に表示させる。【００１１】  この発明によれば、表示幅が基準を超えた場合に、表示装置の向きに基づいて第２のコンテンツを表示させるので、表示装置の向きが、ユーザに第２のコンテンツも表示した方が望ましいと判断できる向きである場合に、第２のコンテンツを表示させることができる。【００１２】  また、この表示装置において、表示手段の引き出し速度を検出する速度検出手段をさらに備え、表示制御手段は、表示幅が基準を超えた場合に、当該基準を超えた後における、速度検出手段により検出された引き出し速度に基づいて第２のコンテンツを表示手段に表示させる。【００１３】  この発明によれば、表示幅が基準を超えた場合に、引き出し速度に基づいて第２のコンテンツを表示させるので、ユーザに第２のコンテンツも表示した方が望ましいと判断できる速度で引き出されている場合に、第２のコンテンツを表示させることができる。
【発明の効果】
【００１４】  本発明の一実施形態によれば、ユーザ操作に基づいて、ユーザに対して複数のコンテンツを表示した方がよいときに、複数のコンテンツを表示するように表示制御することができる。
【図面の簡単な説明】
【００１５】
【図１】表示装置１００の外観を示す外観図である。
【図２】表示装置１００の引き出し検出機構を模式的に示した断面図である。
【図３】表示装置１００の引き出し制御機構を説明するための図である。
【図４】本実施形態の表示装置１００の機能を示すブロック図である。
【図５】表示装置１００のハードウェア構成図である。
【図６】表示装置１００の処理手順を示すフローチャート（１）である。
【図７】表示処理を示す説明図である。
【図８】表示装置１００の処理手順を示すフローチャート（２）である。
【図９】表示装置１００の処理手順を示すフローチャート（３）である。
【発明を実施するための形態】
【００１６】  添付図面を参照しながら本発明の実施形態を説明する。可能な場合には、同一の部分には同一の符号を付して、重複する説明を省略する。
【００１７】  図１は、本実施形態の表示装置１００の外観を示す外観図である。表示装置１００は、引き出し方向Ａに引き出し可能な表示部１０７（例えば、フレキシブルディスプレイ）を備える装置である。図１の状態において、表示部１０７の一部のみユーザから視認可能であり、残りの部分は、表示装置１００の収容部１３０の中にロール状に収容されている。これにより、表示部１０７が引き出された拡大状態（表示部１０７が最大幅である状態）となる。一方、図１の状態は、表示部１０７が収容された縮小状態を示す。ユーザによって引き出し方向Ａに表示部１０７が引き出されると、収容部１３０に収容されている表示部１０７もこれに伴って引き出される。表示装置１００は、表示部１０７の表示面にコンテンツを表示する。このコンテンツは、動画像でもよいし、静止画像でもよい。表示装置１００は、縮小状態から拡大状態になるに従い、表示幅が広がる分、表示中のコンテンツを拡大表示させる。
【００１８】  表示装置１００の表示部１０７の下には、引き出し検出機構が内蔵されている。引き出し方向Ａに表示部１０７が引き出されると、この引き出し検出機構により、表示部１０７が引き出し方向Ａに引き出される。図２は、その引き出し検出機構を模式的に示した断面図である。引き出し検出機構１２０は、収容部１３０に表示部１０７の大半が収容されており、回転軸と、ゼンマイバネとを含む。このゼンマイバネは、表示部１０７が引き出されたときに、引き出し方向Ａと反対側に付勢された力を出力する。このように、収容部１３０には、ゼンマイバネにより常に表示部１０７に対して巻き取る方向に負荷がかかっている。
【００１９】  図１に示したように表示部１０７が引き出される前は、図２（a）に示すように、引き出し検出機構１２０に、表示部１０７の大半が巻き付けられて、表示装置１００の収容部１３０に収容された状態である。図２（ｂ）に示すように、ユーザによって、表示部１０７が引き出し方向Ａに引き出されると、引き出し検出機構１２０が回転する。図示しないセンサが、この回転による、引き出し検出機構１２０のゼンマイバネの動作量を検出する。これにより、表示装置１００は、表示部１０７の引き出し量を算出する。
【００２０】  また、表示装置１００は、表示部１０７の引き出しを制御する引き出し制御機構を有する。表示部１０７が引き出し方向Ａに引き出されると、この引き出し制御機構により、表示部１０７の引き出しを停止させる。図３を用いて引き出し制御機構を説明する。図３（ａ）は、表示装置１００の外観斜視図である。図１に示す縮小状態において、引き出し方向Ａに表示部１０７が引き出されると、図３（ａ）に示すように、表示部１０７が引き出されて、表示部１０７が拡大する。
【００２１】  フレーム１６０Ａからフレーム１６０Ｃは、ロール状に収容された表示部１０７を平面状に保持する部材である。これらフレーム１６０は、ユーザによるユーザ操作によって、段階的に引き出し可能に構成されている。また、これらフレーム１６０同士は、収容部１３０に備えられているゼンマイバネによる巻き取り力より高い摩擦力をもってネジ等の保持具１５１Ａ、保持具１５１Ｂ等で固定されており、引き出された状態を維持することが可能となる。なお、通常のユーザが引き出すことができる程度の摩擦係数をもった保持具１５１によりフレーム１６０は固定されているため、引き出すことは容易となっている。
【００２２】  また、表示装置１００が縮小状態である場合、フレーム１６０Ａは、フレーム１６０Ｂに収容される。また、フレーム１６０Ｂは、フレーム１６０Ｃに収容される。フレーム１６０Ｂ及びフレーム１６０Ｃのそれぞれの側面には、ユーザの引き出し操作に応じて引き出し方向Ａにスライドするためのスライド孔１６１Ａ及びスライド孔１６１Ｂが形成されている。なお、図３（ｂ）及び図３（ｃ）のフレーム１６０Ｃの側面図に示すように、スライド孔１６１Ｂの収容部１３０側に突起部１７１を有する。
【００２３】  フレーム１６０Ａに接続している保持具１５１Ａがユーザの引き出しに応じて、フレーム１６０Ｂのスライド孔１６１Ａ内をスライドする。また、フレーム１６０Ｂに接続している保持具１５１Ｂがユーザの引き出しに応じて、フレーム１６０Ｃのスライド孔１６１Ｂ内をスライドする。
【００２４】  表示装置１００が縮小状態である場合、引き出し方向Ａにユーザによって表示部１０７が引き出されると、まず、フレーム１６０Ａが引き出されて、これに応じてフレーム１６０Ａの保持具１５１Ａと、フレーム１６０Ｂのスライド孔１６１Ａとによって、表示装置１００が固定される。さらに、引き出し方向Ａにユーザによって表示部１０７が引き出されると、これに応じてフレーム１６０Ｂが引き出される。この場合、図３（ｂ）に示すように、フレーム１６０Ｂの保持具１５１Ｂが突起部１７１に嵌るので、保持具１５１Ｂとフレーム１６０Ｃのスライド孔１６１Ｂの突起部１７１とによって、表示装置１００が固定される。この状態では、ユーザが同一の力で引き出そうとしても、表示装置１００が固定されたままである。このように、引き出し制御機構が表示装置１００を仮止めする。
【００２５】  さらに、ユーザによって、表示部１０７が引き出し方向Ａに引き出されると、保持具１５１Ｂが突起部１７１を抜けてスライド孔１６１Ｂをスライドする。この結果、表示部１０７がさらに引き出され、図３（ｃ）に示すように、保持具１５１Ｂと、フレーム１６０Ｃのスライド孔１６１Ｂとによって、表示装置１００が固定される。このように、仮止めしてからさらにユーザにより表示部１０７が引き出されると、引き出し制御機構が、追加で表示部１０７を引き出し可能とする。
【００２６】  表示装置１００は、予め所定のコンテンツ（第１のコンテンツ）を表示している場合に、表示部１０７が引き出された後に、仮止めするまでは、当該コンテンツを拡大表示する。さらに追加で表示部１０７が引き出された場合、所定の条件に合致する場合に、上記追加で引き出された表示部１０７に他のコンテンツ（第２のコンテンツ）を表示する。ここで、第１のコンテンツは、Ｗｅｂ画面等のメインで表示すべきコンテンツであり、第２のコンテンツは、第１のコンテンツを表示させるアプリケーションとは別のアプリケーションを呼び出すランチャーを含む画面、第１のコンテンツの操作画面等の、付随的に表示すべきコンテンツである。第１のコンテンツ及び第２のコンテンツは、表示装置１００が予め記憶してもよいし、通信ネットワークを利用して取得して、記憶してもよい。また、第１のコンテンツ及び第２のコンテンツは、関連付けて記憶しているものとする。第１のコンテンツと第２のコンテンツとを表示することを考慮して、上記の突起部１７１は、第１のコンテンツを表示する表示部１０７と、第２のコンテンツを表示する表示部１０７とを分ける基準となる位置に設けられる。
【００２７】  図４は、本実施形態の表示装置１００の機能を示すブロック図である。図４に示されている通り、この表示装置１００は、引き出し量算出部１０１、引き出し検出機構１２０、方向検出部１０３（装置方向検出手段）、引き出し速度検出部１０４（速度検出手段）、引き出し制御機構１０５（仮止め手段）、表示制御部１０６（表示制御手段）、及び表示部１０７（表示手段、接触状態検出手段）を含んで構成されている。
【００２８】  図５は、表示装置１００のハードウェア構成図である。図４に示される表示装置１００は、物理的には、図５に示すように、ＣＰＵ１１、主記憶装置であるＲＡＭ１２及びＲＯＭ１３、フレキシブルタッチパネルディスプレイである出力装置１５、ネットワークカード等のデータ送受信デバイスである通信モジュール１６、半導体メモリ等の補助記憶装置１７などを含むコンピュータシステムとして構成されている。図４において説明した各機能は、図５に示すＣＰＵ１１、ＲＡＭ１２等のハードウェア上に所定のコンピュータソフトウェアを読み込ませることにより、ＣＰＵ１１の制御のもとで、出力装置１５、通信モジュール１６を動作させるとともに、ＲＡＭ１２や補助記憶装置１７におけるデータの読み出し及び書き込みを行うことで実現される。以下、図４に示す機能ブロックに基づいて、各機能ブロックを説明する。
【００２９】  引き出し量算出部１０１は、表示部１０７の引き出し量（縮小状態を基準として、表示部１０７が引き出された量）を算出する部分である。具体的には、引き出し量算出部１０１は、引き出し検出機構１２０のゼンマイバネの動作量を取得し、当該ゼンマイバネの動作量に基づいて引き出し量を算出する。例えば、引き出し量算出部１０１は、予め記憶しているゼンマイバネの動作量に対応する引き出し量の情報を記憶し、当該情報とゼンマイバネの動作量とを用いて、引き出し量を算出する。引き出し量算出部１０１は、当該引き出し量を一定時間毎に、引き出し速度検出部１０４及び表示制御部１０６へ送出する。このように、引き出し量算出部１０１は、表示部１０７が引き出された状態を示す情報として引き出し量を算出し、当該引き出し量を引き出し速度検出部１０４及び表示制御部１０６へ送出する。
【００３０】  引き出し検出機構１２０は、表示部１０７の下に配置される機構部分であって、表示部１０７の引き出し状態を検出する部分である。具体的な構成は、図２に示されるものがある。
【００３１】  方向検出部１０３は、表示装置１００の装置方向を検出する部分である。具体的に、方向検出部１０３は、公知の加速度センサ、地磁気センサ、姿勢センサ等であり、表示装置１００の重力方向を検出し、方向検出結果を表示制御部１０６へ送出する。
【００３２】  引き出し速度検出部１０４は、表示部１０７の引き出し速度を検出する部分である。具体的には、引き出し速度検出部１０４は、引き出し量算出部１０１から引き出し量を一定時間毎に取得し、その引き出し量の変化に基づいて、引き出し速度を算出する。引き出し速度検出部１０４は、算出した引き出し速度を表示制御部１０６へ送出する。
【００３３】  引き出し制御機構１０５は、ユーザの引き出しにより、基準となる位置まで表示部１０７が引き出された場合（保持具１５１Ｂが突起部１７１に位置した場合）に、表示部１０７の引き出し状態を仮止めする部分である。具体的な構成は、図３に示されるものがある。
【００３４】  表示制御部１０６は、引き出し量算出部１０１により算出された引き出し量に基づく表示部１０７の表示幅が、予め定められている基準である表示閾値（ユーザの引き出しにより、保持具１５１Ｂが突起部１７１に位置した時点の表示幅）を超えた後に、第２のコンテンツを第１のコンテンツと共に表示部１０７に表示させる部分である。
【００３５】  また、表示制御部１０６は、引き出し量に基づく表示幅が表示閾値を超えた場合に、方向検出部１０３により検出された装置方向にさらに基づいて第２のコンテンツを表示部１０７に表示させる。
【００３６】  また、表示制御部１０６は、引き出し量に基づく表示幅が閾値を超えた場合に、引き出し速度検出部１０４により検出された閾値以後の引き出し速度に基づいて第２のコンテンツを表示部１０７に表示させる。
【００３７】  具体的に、表示制御部１０６は、引き出し量算出部１０１から一定時間毎に引き出し量を取得する。また、表示制御部１０６は、方向検出部１０３から表示装置１００の重力方向の検出結果を取得する。また、表示制御部１０６は、引き出し速度検出部１０４から引き出し速度を取得する。
【００３８】  表示制御部１０６は、縮小状態の表示幅を予め記憶しており、引き出し量算出部１０１から取得した引き出し量と当該縮小状態の表示幅とを加算して、表示部１０７の表示幅を算出する。このように、表示制御部１０６は、表示部１０７の引き出し状態を示す情報（引き出し量）を用いて表示幅を算出する。表示制御部１０６は、当該表示幅が予め記憶している表示閾値以上であるか否かを判断する。表示制御部１０６は、当該表示幅が表示閾値未満の場合、第１のコンテンツのみ表示する（例えば、第１のコンテンツを表示幅の変更に基づいて拡大表示する）。また、表示制御部１０６は、その後に、上記引き出し量に基づく表示幅が最大表示幅を示すとき、第１のコンテンツだけでなく、第２のコンテンツをさらに表示させる。
【００３９】  なお、予めユーザからの入力操作により、表示装置１００が横を向いている場合（ユーザから見て表示装置１００の引き出し方向が横になる場合）に、第２のコンテンツを表示する旨の情報が予め入力されている場合、表示制御部１０６は、上記表示閾値を超えた後に、方向検出部１０３から取得した検出結果から導かれる表示装置１００の方向が横であるときに、表示幅が最大幅になったタイミングで第１のコンテンツだけでなく、第２のコンテンツをさらに表示させるようにしてもよい。また、表示制御部１０６は、上記表示閾値を超えた後に、引き出し速度検出部１０４から取得した引き出し速度が予め定められている閾値の速度以上である場合に、表示幅が最大幅になったタイミングで第１のコンテンツだけでなく、第２のコンテンツをさらに表示させるようにしてもよい。
【００４０】  表示部１０７は、ネットワークを介して取得したウェブ画面や、表示装置１００内部に保持されている写真データ、メニュー画面等のコンテンツを表示する部分である。また、表示部１０７は、表示部１０７のタッチ面において、ユーザからのタッチ操作を受け付けることができるタッチパネルディスプレイでもよい。
【００４１】  つぎに、このように構成された表示装置１００の動作について図６及び図７を用いて説明する。図６は、本実施形態の表示装置１００の動作を示すフローチャートであり、表示幅のみに基づいて第２のコンテンツを表示するか否かを判断する処理のフローチャートである。図７は、表示幅により表示対象のコンテンツを変更する状態を示す図である。
【００４２】  前提として、表示装置１００が第１のコンテンツを表示部１０７に表示しているものとする。例えば、図７（ａ）の状態とする。また、縮小状態の表示幅（表示幅Ｗ１）を１００％とした場合、表示閾値の表示幅が２８０％（表示幅Ｗ２）、最大表示幅が３００％（表示幅Ｗ３）であるものとする。
【００４３】  まず、引き出し量算出部１０１は、引き出し検出機構１２０の動作状態に基づいて、引き出し量を算出し、算出した引き出し量を表示制御部１０６へ送出する（ステップＳ１）。表示制御部１０６は、当該引き出し量と縮小状態の表示幅とを用いて現状の表示部１０７の表示幅を算出する。表示制御部１０６は、表示幅が最大表示幅になったか否かを判断する（ステップＳ２）。表示幅が最大表示幅になっていない場合（ステップＳ２：ＮＯ）、ステップＳ１へ進む。一方、表示幅が最大幅か否かを判断した結果、最大幅に達した場合（ステップＳ２：ＹＥＳ）、表示制御部１０６は、第１のコンテンツと共に第２のコンテンツを表示部１０７へ表示させる（ステップＳ３）。例えば、図７（ｃ）に示すように、表示制御部１０６は、表示領域２０１に第１のコンテンツ（ニュースに関するＷｅｂ画面）を表示させ、表示領域２０２に第２のコンテンツとして、アプリケーション（例えば、動画再生のアプリケーション、メールアプリケーション等）を実行するランチャーボタン２１１Ａ〜２１１Ｄを表示させる。上記のランチャーボタン２１１Ａ〜２１１Ｄの代わりに第２コンテンツとして、第１のコンテンツの操作画面を表示させるようにしてもよい。例えば、第１のコンテンツとしてＷｅｂ画面を表示している場合、当該Ｗｅｂ画面に関する操作画面（ブックマークするためのボタン、Ｗｅｂ画面のリフレッシュ等のＷｅｂ画面を切り替えるためのボタン）を第２コンテンツとして表示させてもよい。また、第１のコンテンツとして、動画再生アプリケーションによる動画を表示している場合、再生対象の動画のチャプターを切り替える等の再生制御のための操作画面を第２コンテンツとして表示させてもよい。なお、表示閾値に達した時点では、図７（ｂ）に示すように、表示部１０７を仮止めした状態になる。
【００４４】  続いて、表示装置１００の表示幅と、表示部１０７の引き出し速度とに基づいて、第２のコンテンツを表示させる処理の例を図８に示すフローチャートを用いて説明する。
【００４５】  ステップＳ１１及びステップＳ１２の処理は、図６に示したフローチャートのステップＳ１及びステップＳ２の処理とそれぞれ同一であるため、説明を省略する。表示制御部１０６は、表示閾値に達した後における、引き出し速度検出部１０４から取得した引き出し速度が、予め定めている速度閾値以上であるか否かを判断する（ステップＳ１３）。表示制御部１０６は、上記の判断をした結果、表示閾値に達した後における、引き出し速度検出部１０４から取得した引き出し速度が、予め定めている速度閾値以上である場合（ステップＳ１３：ＹＥＳ）、表示制御部１０６は、第１のコンテンツと共に第２のコンテンツを表示部１０７へ表示させる（ステップＳ１５）。また、表示制御部１０６は、上記の判断をした結果、表示閾値に達した後における、引き出し速度検出部１０４から取得した引き出し速度が、予め定めている速度閾値未満である場合（ステップＳ１３：ＮＯ）、第１のコンテンツのみ表示する（ステップＳ１４）。
【００４６】  続いて、表示幅と、装置方向とに基づいて、第２のコンテンツを表示させる処理の例を図９に示すフローチャートを用いて説明する。
【００４７】  ステップＳ２１及びステップＳ２２の処理は、図６に示したフローチャートのステップＳ１及びステップＳ２の処理とそれぞれ同一であるため、説明を省略する。表示制御部１０６は、表示閾値に達した後における、方向検出部１０３から取得した表示装置１００の方向検出結果に基づいて、表示装置１００が横を向いているか否かを判断する（ステップＳ２３）。表示制御部１０６は、上記の判断をした結果、表示閾値に達した後における、方向検出部１０３から取得した表示装置１００の方向検出結果により、表示装置１００が横を向いていると判断した場合（ステップＳ２３：ＹＥＳ）、表示制御部１０６は、第１のコンテンツと共に第２のコンテンツを表示部１０７へ表示させる（ステップＳ２５）。また、表示制御部１０６は、上記の判断をした結果、表示閾値に達した後における、方向検出部１０３から取得した表示装置１００の方向検出結果により、表示装置１００が横を向いていると判断した場合（ステップＳ２３：ＮＯ）、第１のコンテンツのみ表示する（ステップＳ２４）。
【００４８】  つぎに、本実施形態の表示装置１００の作用効果について説明する。本実施形態の表示装置１００において、引き出し量算出部１０１が、表示部１０７の引き出し量を算出し、当該引き出し量を表示制御部１０６へ送出する。表示制御部１０６は、当該引き出し量に基づく、表示部１０７の表示幅が表示閾値を超えた場合、第２のコンテンツを第１のコンテンツと共に表示部１０７に表示させる。
【００４９】  この場合、引き出し量を検出し、当該引き出し量に基づく表示幅が閾値を超えた場合に、第１のコンテンツ以外のコンテンツ（第２のコンテンツ）を表示するので、ユーザの引き出し操作に応じて、ユーザに複数のコンテンツを出力した方がよい時のみ複数のコンテンツを表示させることができる。すなわち、引き出し状況に応じて複数コンテンツを適切に表示制御することができる。特に、上述の実施形態のように、表示制御部１０６は、最大表示幅の大部分に第１のコンテンツを表示させ、残りの一部に第２のコンテンツを表示させるので、第１のコンテンツ（例えば、Ｗｅｂ画面）をメインで表示させつつ、第２のコンテンツ（例えば、ランチャーを含む画面や操作画面）をサブ的に表示させることができる。
【００５０】  また、この表示装置１００において、引き出し制御機構１０５は、基準となる位置で表示部１０７を仮止めする。この場合、ユーザに第２のコンテンツを表示させるタイミングを感知させることができる。
【００５１】  また、この表示装置１００において、方向検出部１０３が、表示装置１００の装置方向を検出し、表示制御部１０６は、引き出し量に基づく表示幅が閾値を超えた場合に、方向検出部１０３により検出された装置方向にさらに基づいて第２のコンテンツを表示部１０７に表示させる。この場合、表示装置１００は、引き出し量に基づく表示幅が閾値を超えた場合に、表示装置の向きに基づいて第２のコンテンツを表示させるので、ユーザに第２のコンテンツも表示した方が望ましいと判断できる向きの場合に、第２のコンテンツを表示させることができる。
【００５２】  また、この表示装置１００において、引き出し速度検出部１０４が、表示部１０７の引き出し速度を検出し、表示制御部１０６は、引き出し量に基づく表示幅が表示閾値を超えた場合に、当該表示閾値を超えた後における、引き出し速度検出部１０４により検出された引き出し速度に基づいて第２のコンテンツを表示部１０７に表示させる。この場合、表示装置１００は、引き出し量に基づく表示幅が表示閾値を超えた場合に、引き出し速度に基づいて第２のコンテンツを表示させるので、ユーザに第２のコンテンツも表示した方が望ましいと判断できる速度で引き出されている場合に、第２のコンテンツを表示させることができる。
【００５３】  上述の実施形態では、表示幅と、表示装置１００の方向とに基づいて、表示制御する場合と、表示幅と、表示装置１００の引き出し速度とに基づいて表示制御をする場合について述べたが、表示幅と、表示装置１００の方向と、表示装置１００の引き出し速度とに基づいて表示制御するようにしてもよい。例えば、表示制御部１０６は、表示幅が表示閾値を超えて、表示方向が横方向であり、且つ速度閾値以上の速度で引き出された場合に、第２のコンテンツも表示するようにしてもよい。
【００５４】  上述の実施形態では、表示制御部１０６は、方向検出部１０３による検出結果により、表示装置１００が横向きである場合に、第１のコンテンツと共に第２のコンテンツを表示させる場合について述べたが、ユーザの入力操作により、表示装置１００が他の向きを向いている場合に、第１のコンテンツと共に第２のコンテンツを表示する旨が入力されている場合、当該入力に合わせて、表示装置１００が縦向き等、他の方向を向いている場合に第１のコンテンツと共に第２のコンテンツを表示させるようにしてもよい。
【００５５】  上述の実施形態では、表示制御部１０６は、引き出し速度検出部１０４による検出結果により、引き出し速度が速度閾値以上である場合に、第１のコンテンツと共に第２のコンテンツを表示させる場合について述べたが、引き出し速度が速度閾値未満である場合に第１のコンテンツと共に第２のコンテンツを表示させるようにしてもよい。
【００５６】  上述の実施形態では、ユーザにより表示部１０７が引き出された後に、引き出し制御機構１０５が１度仮止めする場合について述べたが、複数回仮止めするようにしてもよい。
【００５７】  なお、突起部１７１周囲に圧力センサを設けておき、当該圧力センサによる検出結果を表示制御部１０６が取得して、仮止めしたか否かを判断するようにしてもよい。
【００５８】  なお、上述の実施形態では、表示制御部１０６が、引き出し量算出部１０１により算出された引き出し量から表示幅を算出し、当該表示幅が表示閾値に達しているか否かを判断したり、当該表示幅が最大幅になっていることを判断したりする場合について述べたが、他の方法により上記判断をするようにしてもよい。例えば、表示部１０７が引き出された後に保持具１５１Ａが固定される位置、突起部１７１の位置、及び表示部１０７が引き出された後に保持具１５１Ｂが固定される位置にセンサ（例えば、圧力センサ）を設けておき、表示制御部１０６が、当該センサによる検出結果を取得して、当該検出結果により、表示幅が基準に達しているか否かを判断したり、最大表示幅になっていることを判断したりしてもよい。例えば、表示制御部１０６は、上記センサにより、保持具１５１Ａが固定され、且つ突起部１７１に保持具１５１Ｂが位置していることを検出された場合に、表示幅が基準に達していると判断する。また、センサにより保持具１５１Ｂが固定されたことをさらに検出すると、表示制御部１０６は、最大表示幅になっていると判断する。
【００５９】  なお、上述の実施形態では、表示幅が最大幅になった後の引き出し速度又は装置の向きに基づいて、第１のコンテンツと共に第２のコンテンツを表示する場合について述べた。これに代えて、表示部１０７が引き出されている際に、表示部１０７にユーザの指が触れている場合（例えば、ロングタップしている場合）、表示幅が最大幅になった後におけるユーザの指の接触状態に基づいて、第１のコンテンツと共に第２のコンテンツを表示するようにしてもよい。
【００６０】  例えば、表示部１０７にユーザの指が触れた状態で表示部１０７が引き出された結果、表示幅が最大幅になった後に、ユーザの指が離れた場合、第２のコンテンツを表示する旨の情報がユーザからの入力操作により予め入力されているものとする。このとき、表示部１０７は、ユーザの指が触れているか否かを示す情報を表示制御部１０６へ逐次送出する。表示制御部１０６は、表示部１０７から取得した情報を用いて、表示部１０７が引き出されている間にユーザの指が触れていると判断し、表示幅が最大幅になった後にユーザの指が離れたとき、第１のコンテンツだけでなく、第２のコンテンツをさらに表示させる。
【００６１】  以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【００６２】  なお、情報の通知は、本明細書で説明した態様／実施形態に限られず、他の方法で行われてもよい。例えば、情報の通知は、物理レイヤシグナリング（例えば、ＤＣＩ（Downlink  Control  Information）、ＵＣＩ（Uplink  Control  Information））、上位レイヤシグナリング（例えば、ＲＲＣ（Radio  Resource  Control）シグナリング、ＭＡＣ（Medium  Access  Control）シグナリング、報知情報（ＭＩＢ（Master  Information  Block）、ＳＩＢ（System  Information  Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC Connection Reconfiguration）メッセージなどであってもよい。
【００６３】  また、本明細書で説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【００６４】  また、本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【００６５】  上記の情報等は、上位レイヤ（または下位レイヤ）から下位レイヤ（または上位レイヤ）へ出力され得る。複数のネットワークノードを介して入出力されてもよい。
【００６６】  入出力された情報等は特定の場所（例えば、メモリ）に保存されてもよいし、管理テーブルで管理してもよい。入出力される情報等は、上書き、更新、または追記され得る。出力された情報等は削除されてもよい。入力された情報等は削除されてもよい。入力された情報等は他の装置へ送信されてもよい。
【００６７】  判定は、１ビットで表される値（０か１か）によって行われてもよいし、真偽値(Boolean：trueまたはfalse)によって行われてもよいし、数値の比較（例えば、所定の値との比較）によって行われてもよい。
【００６８】  本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【００６９】  ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００７０】  また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【００７１】  本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００７２】  なお、本明細書で説明した用語及び／又は本明細書の理解に必要な用語については、同一の又は類似する意味を有する用語と置き換えてもよい。例えば、チャネル及び／又はシンボルは信号（シグナル）であってもよい。また、信号はメッセージであってもよい。また、コンポーネントキャリア（ＣＣ）は、キャリア周波数、セルなどと呼ばれてもよい。
【００７３】  本明細書で使用する「システム」および「ネットワーク」という用語は、互換的に使用される。
【００７４】  また、本明細書で説明した情報、パラメータなどは、絶対値で表されてもよいし、所定の値からの相対値で表されてもよいし、対応する別の情報で表されてもよい。例えば、無線リソースはインデックスで指示されるものであってもよい。
【００７５】  上述したパラメータに使用する名称はいかなる点においても限定的なものではない。さらに、これらのパラメータを使用する数式等は、本明細書で明示的に開示したものと異なる場合もある。様々なチャネル（例えば、ＰＵＣＣＨ、ＰＤＣＣＨなど）及び情報要素（例えば、ＴＰＣなど）は、あらゆる好適な名称によって識別できるので、これらの様々なチャネル及び情報要素に割り当てている様々な名称は、いかなる点においても限定的なものではない。
【００７６】  移動体通信端末は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【００７７】  また、本明細書で使用する「判断 (determining)」、「決定(determining)」という用語は、多種多様な動作を包含する。「判断」、「決定」は、例えば、判定(judging)、計算(calculating)、算出(computing)、処理(processing)、導出(deriving)、調査(investigating)、探索(looking up)（例えば、テーブル、データベースまたは別のデータ構造での探索）、確認(ascertaining)した事を「決定」したとみなす事などを含み得る。また、「判断」、「決定」は、受信(receiving)（例えば、情報を受信すること）、送信(transmitting)（例えば、情報を送信すること）、入力(input)、出力(output)、アクセス(accessing)（例えば、メモリ中のデータにアクセスすること）した事を「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」、「決定」は、何らかの動作を「判断」、「決定」したとみなす事を含み得る。
【００７８】  「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより、互いに「接続」又は「結合」されると考えることができる。
【００７９】  本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００８０】  本明細書で「第１の」、「第２の」などの呼称を使用した場合においては、その要素へのいかなる参照も、それらの要素の量または順序を全般的に限定するものではない。これらの呼称は、２つ以上の要素間を区別する便利な方法として本明細書で使用され得る。したがって、第１および第２の要素への参照は、２つの要素のみがそこで採用され得ること、または何らかの形で第１の要素が第２の要素に先行しなければならないことを意味しない。
【００８１】  また、上記の各装置の構成における「手段」を、「部」、「回路」、「デバイス」等に置き換えてもよい。
【００８２】  「含む(ｉｎｃｌｕｄｉｎｇ)」、「含んでいる（ｉｎｃｌｕｄｉｎｇ）」、およびそれらの変形が、本明細書あるいは特許請求の範囲で使用されている限り、これら用語は、用語「備える」と同様に、包括的であることが意図される。さらに、本明細書あるいは特許請求の範囲において使用されている用語「または（or）」は、排他的論理和ではないことが意図される。
【００８３】  本開示の全体において、明らかに単数であることを示しているものではない限り、単数および複数の両方のものを含むものとする。
【符号の説明】
【００８４】  １１…ＣＰＵ、１２…ＲＡＭ、１３…ＲＯＭ、１５…出力装置、１６…通信モジュール、１７…補助記憶装置、１００…表示装置、１０１…引き出し量算出部、１２０…引き出し検出機構、１０３…方向検出部、１０４…引き出し速度検出部、１０５…引き出し制御機構、１０６…表示制御部、１０７…表示部。
【図１】
2017134890.tif 000003
【図２】
2017134890.tif 000004
【図３】
2017134890.tif 000005
【図４】
2017134890.tif 000006
【図５】
2017134890.tif 000007
【図６】
2017134890.tif 000008
【図７】
2017134890.tif 000009
【図８】
2017134890.tif 000010
【図９】
2017134890.tif 000011
【国際調査報告】
2017134890.tif 000012
2017134890.tif 000013